(57)【要約】本発明は、結合糸システム（５）によって互いに結合された少なくとも２つのマシン方向の糸システム（３，４）を備えたペーパーマシンファブリックに関する。マシン側の層は、縦糸システム（４）と結合糸システム（３）とによって形成されている。結合糸システムは、単一結合糸（５）、複数の結合糸、あるいは１対の結合糸を有している。単一結合糸（５）、複数の結合糸、あるいは１対の結合糸は、結合糸（５）が上縦糸と下縦糸とを互いに結合させるポイントで、１つの下縦糸（４）に結合されている。
2007520639.tif 000002
【特許請求の範囲】
【請求項１】
２つのマシン方向の糸システム、即ち、ペーパーマシンファブリックのペーパー側の層（１）とマシン側の層（２）とを形成するように配置された、複数の上縦糸（３）から形成された糸システムと、複数の下縦糸（４）から形成された糸システムとを具備し、これらのマシン方向の糸システムは、結合糸から形成された結合糸システムによって互いに結合されている、ペーパーマシンファブリックにおいて、前記マシン側の層（２）は、マシン側の縦糸システムの下縦糸（４）と、結合糸システムの結合糸（５，６；７；９，１０；１３）とのみから形成されており、また、結合糸システムの単一の結合糸（７，１３）、複数の結合糸（５，６）、あるいは、１対の結合糸（９，１０）は、これらの結合糸（５，６；７；９，１０；１３）がペーパー側とマシン側の層（１，２）を互いに結合させたポイントから、少なくとも２つの近接していない下縦糸（４）の下でマシン側に延びていることを特徴とするペーパーマシンファブリック。
【請求項２】
少なくとも１つの上横糸（８）が、近接する結合糸（７）の間で織られていることを特徴とする請求項１のペーパーマシンファブリック。
【請求項３】
少なくとも１つの上横糸（８）が、近接する結合糸（７）の間で織られ、これによって、上横糸（８）は、結合糸がマシン側に結合されたポイントから、結合糸（７）によってペーパー側に形成された糸通路を補充するように配置されていることを特徴とする請求項１のペーパーマシンファブリック。
【請求項４】
前記複数の結合糸（５，６）は、並んで織られた２つの結合糸（５，６）がペーパー側に連続的な横糸通路を形成するように配置されていることを特徴とする請求項１のペーパーマシンファブリック。
【請求項５】
前記１対の結合糸は、ペーパー側に連続的な横糸通路を形成するように並んで織られた２つの結合糸（９，１０）であり、１つ以上の上横糸（１１，１２）が、近接して対をなす結合糸の間で織られていることを特徴とする請求項１のペーパーマシンファブリック。
【請求項６】
前記構造体は、０、１以上の上横糸と代わりの横糸とを有し、かくして、結合糸が、この代わりの横糸の両側で織られ、この代わりの横糸は、結合糸がマシン側に織り合わされるポイントから、結合糸によって形成された２つの横糸通路を補充するように配置されていることを特徴とする請求項１のペーパーマシンファブリック。
【請求項７】
前記マシン側を形成する層（２）のマシン方向の糸（４）の数が、ペーパー側を形成する層（１）のマシン方向の糸（３）の数よりも多いか少ないことを特徴とする前記全ての請求項のいずれか１のペーパーマシンファブリック。
【請求項８】
前記マシン側を形成する層（２）のマシン方向の糸（４）の数は、ペーパー側を形成する層（１）のマシン方向の糸（３）の数と同じであることを特徴とする請求項１ないし７のいずれか１のペーパーマシンファブリック。
【請求項９】
前記マシン側を形成する層（２）のマシン方向の糸（４）の直径は、ペーパー側を形成する層（１）のマシン方向の糸（３）の直径よりも大きいか小さいことを特徴とする請求項１ないし８のいずれか１のペーパーマシンファブリック。
【請求項１０】
前記マシン側を形成する層（２）のマシン方向の糸（４）の直径は、ペーパー側を形成する層（１）のマシン方向の糸（３）の直径と等しいことを特徴とする請求項１ないし８のいずれか１のペーパーマシンファブリック。
【請求項１１】
前記ペーパーマシンファブリックの糸の１つ、幾つか、あるいは全ての断面が、円形ではないことを特徴とする請求項１ないし１０のいずれか１のペーパーマシンファブリック。
【請求項１２】
前記ペーパーマシンファブリックの糸の１つ、幾つか、あるいは全てが、中空であることを特徴とする請求項１ないし１１のいずれか１のペーパーマシンファブリック。
【発明の詳細な説明】
【発明の詳細な説明】
【０００１】
本発明は、少なくとも２つのマシン方向の糸システムを備えたペーパーマシンファブリックに関する。糸システムは、単数もしくは複数の結合糸か、一対の結合糸によって互いに結合されている。
ペーパーの基本的な構造と特性とは、主に、ペーパーマシンの成形部で決定される。ペーパー製造では、ペーパーパルプが、ヘッドボックスからペーパーマシンファブリックへと注入され、このパルプは、典型的には、約９９％の水を含み、残りは、繊維、可能な充填物、添加物である。成形部内で、パルプ中に含まれる水の殆どが、ペーパーマシンファブリックを通じて除去される。ペーパーウェブの１つの特性は、乾燥比率（dry content）である。成形部後の乾燥比率は、全秤量中の繊維と充填物との比率に言及している。この乾燥比率は、パーセントで表される。例えば、サンプルの重量が５００ｇであり、乾燥されたサンプルの重量が１００ｇである場合、このサンプルは４００ｇの水を含んでいたもので、かくして、乾燥比率は２０％ということになる。目的は、加圧および乾燥部よりも成形部で水を除去したほうがよりエネルギー効率がよいことから、成形部後に、乾燥比率が可能な限り高くなることである。高い乾燥比率により、ペーパーマシンの実行可能性が向上され、破損の数が減る。また、水の量が少なくなるため、プレスフェルトの寿命が長くなる。成形部後の高い乾燥比率は、通常、薄いファブリックによって果される。ペーパーマシンの実行速度はこれまでも上がってきたが、将来的にも更に上がっていくので、水分除去能力、復元力、清潔な運転およびしぶきが飛ばないこと、といったペーパーマシンファブリックに必要とされる特性が、重要性を増すだろう。
【０００２】
当分野では、２重層のペーパーマシンファブリック構造体、即ち、２重層成形ファブリックが、公知である。この構造体は、１つの縦糸システムと２つの横糸システムとを有している。２重層ペーパーマシンシステムの技術が、例えば米国特許４０４１９８９号に開示されている。通常、最も高い乾燥比率は、このような２重層構成ファブリックが単一縦糸のシステムによって薄くされることにより、２重層構成ファブリックによって果されてきた。印刷用紙の場合に特に、２重層構成ファブリックは比較的薄い。２重層構成ファブリックでは、縦糸同士が、極めて近接しているか、僅かに重複している。かくして、交差方向の糸の量は少ないままに留まり、ペーパー繊維のために十分な数のサポートポイントが得られない。この結果、例えばマーキングや低保持率が生じる。保持率は、供給物の量に対する、形成されるファブリックに残る充填物とペーパー繊維の比率（％）のことである。例えば、全てのペーパー繊維と充填物とがペーパーマシンファブリックに残る場合は、保持率は１００％となり、ペーパー繊維と充填物との半分がペーパーマシンファブリックに残る場合は、保持率が５０％となる。
【０００３】
２重層構成ペーパーマシンファブリック内では、１つの縦糸システムの、ペーパーマシンファブリックのための斜め方向の復元力が低くなる。斜め方向の復元力が高いということは、マシンと交差する方向の糸とマシン方向の糸とが交差ポイントで互いによくロックされ、形成されるファブリックが安定されることを意味する。
【０００４】
当分野では、ペーパー側の層とマシン側の層とを互いに結合させる結合糸が同時にペーパー側の層をも形成するようなペーパーマシンファブリックがまた、公知である。このような構造体は、ＳＳＢ構造体と呼ばれている。ＳＳＢ構造体の技術は、例えば、米国特許４５０１３０３号、米国特許５９６７１９５号、米国特許５８２６６２７号に開示されている。この構造体では、優れた斜め方向の復元力が、２つの縦糸システムによって果される。しかし、この構造体は、下横糸によって厚くなり、ペーパーの乾燥比率が低くなっている。
【０００５】
本発明の１つの目的は、従来技術の欠点をなくすペーパーマシンファブリックを提供することである。これは、本発明のペーパーマシンファブリックによって果されている。ペーパーマシンファブリックは、少なくとも２つのマシン方向の糸システムを有している。これら糸システムは、単一結合糸、複数の結合糸、あるいは１対の結合糸によって互いに結合されている。本発明は、マシン側の層が、マシン側の縦糸システムの下縦糸と結合糸システムの結合糸とのみによって形成されていることを特徴とする。
【０００６】
本発明の構造体の１つの利点は、形成部で優れた乾燥比率を得るのに貢献する低いカリパーである。この構造体は従来の下縦糸を使用しておらず、マシン側は縦糸システムと結合糸システムとから形成されるので、ペーパーマシンファブリックを薄く形成することができる。
【０００７】
ペーパーマシン内では、上部の形成ファブリックが戻りサイクルに戻るポイントで、水しぶきが生じることがある。最悪なケースでは、この水しぶきが、ペーパーウェブの品質の劣化を生じる。薄い構造体の１つの利点は、小さな空隙容量である。空隙容量が小さいということは、ペーパーマシンで形成ファブリックが僅か少量の水分のみを有するので、水しぶきが少なくなることを意味する。この構造体では下横糸が設けられていないため、マシン方向の縦糸通路が、構造体内のマシン側に形成される。これらの縦糸通路の間に、ほぼ中断されない水分除去チャネルが残される。このようなマシン側の構造によって、ペーパーマシンの真空の水分除去効果が、ペーパーウェブに効果的に伝えられ、優れた乾燥比率が果される。薄い構造体はまた、ペーパーウェブの端部装飾においても有利である。ファブリックが薄いことにより端部装飾の押出しが繊維を押すのが容易なため、端部装飾は成功しやすく、損傷が減じられる。
【０００８】
本発明の構造体は、マシン方向に可撓性があり、そのため、積載可能なブレードが、容易に、比較的新しい形成器構造体内で有効に動作できる。かくして、水分除去が更に有効になされ、ペーパーの構成が改良される。ペーパーの構成とは、ここでは、ペーパーの秤量の小さな空隙の変化のことである。秤量の変化が大きいときは、構成が悪く、秤量の変化が小さいときは、構成がよい。
【０００９】
ペーパーマシン内では、水分除去部材が、マシンと交差する方向に位置されており、即ち、これらは、形成部で既存のペーパーマシンファブリックの横糸の糸システムと平行にされている。既存のペーパーマシンファブリックでは、下横糸が水分除去部材に当たり、ペーパーマシンファブリック内での下横糸の変位が生じることがある。本発明の構造体では、水分除去部材と接触されるのは主にペーパーマシンファブリックの下横糸であり、かくして、水分除去部材への当接が生じず、ペーパーマシンの負荷が減じられる。
【００１０】
本発明の構造体では、マシン側が開いている。このことは、構造のペーパー側に多数のマシンと交差する方向の糸が存在し、ペーパーマシンファブリックの透気度が十分に開いていることを意味する。このような構造体を清潔に保つのは簡単であり、優れた繊維サポートがペーパー繊維に与えられる。かくして、ペーパーの保持率が改良され、マーキングが減じられる。２重縦糸システムと、ペーパー側の多数の交差ポイントとにより、ペーパーマシンファブリックは安定され、優れた斜め方向の復元力を与えられる。
【００１１】
本発明のペーパーマシンファブリックは、少なくとも２つのマシン方向の糸システム、例えば、上縦糸システムと下縦糸システムとを有している。更に、この構造体は、常に、縦糸システムを互いに結合させる結合糸システムを有している。本発明の構造体は、従来の下横糸を使用しておらず、マシン側は、縦糸システムと結合糸システムとから形成されている。本発明の幾つかの構造体では、上横糸システムが更に使用されている。結合糸システムは、単一結合糸、複数の結合糸、あるいは１対の結合糸を有している。単一結合糸あるいは複数の結合糸は、常に、１つ以上の下縦糸に結合されている。本発明の構造体では、１つの結合糸と１つの上横糸とが、ペーパー側の横糸として働く。この構造体では、ペーペー側は、結合糸が上縦糸に結合され、上横糸が、結合糸がマシン側の下縦糸に織り合わされるポイントで、上述した結合糸によってペーパー側に形成された糸通路を補充する形で配置されるように、形成されている。
【００１２】
本発明の第２の構造体では、ペーパー側の横糸の糸として結合糸のみが使用されている。結合糸は、並んで織られた２つの結合糸がペーパー側に連続した横糸通路を形成するように、配置されている。
本発明の第３の構造体は、並んで織られた２つの結合糸を有しており、これらが、ペーパー側に、連続的な横糸通路と、同時に１対の結合糸とを形成している。更に、１つ以上の上横糸が、これら対の結合糸の間で織られている。
【００１３】
本発明の１つの構造体は、ＦＩpatent publication１１０１３１号で使用されたものに類似した結合糸を使用している。この広報の構造体は、両側に織られた結合糸が設けられた代わりの糸を有している。この代わりの糸は、上述した２つの結合糸がマシン側に織られているポイントで、上述した２つの結合糸によって形成された２つの糸通路を補充するように配置されている。
【００１４】
本発明は、添付図面に示された実施形態を参照しながらより詳しく説明される。
【発明を実施するための最良の形態】
【００１５】
図１ａおよび図１ｂは、上縦糸システムと下縦糸システムとを有する本発明のペーパーマシンファブリックの１つの実施形態を示している。更に、この構造体は、上縦糸システムと下縦糸システムとを互いに結合させる結合糸システムを有している。
図１ａおよび図１ｂでは、ペーパー側を形成する層が、参照符号１で示されており、マシン側を形成する層が、参照符号２で示されている。図１ａおよび図１ｂでは、上縦糸が、参照符号３で示されている。下縦糸は、図１ａおよび図１ｂに参照符号４で示されている。ペーパー側を形成する層１とマシン側を形成する層２とは、結合糸システムで互いに結合されている。結合糸は、参照符号５，６で示されている。この構造体の織目の繰り返しでは、結合糸５，６が、並んで織られた２つの結合糸がペーパー側に連続的な横糸通路を形成するように配置されている。
【００１６】
図１ａは、結合糸５の結合を示している。結合糸５は、ペーパー側の面で上縦糸３に結合されて、層の織りの一部を形成している。この後、結合糸５は、マシン側の層へと下って、下縦糸４に結合されて、層の織りの一部を形成すると共に、ペーパー側とマシン側の層を互いに結合させている。結合糸５は、下縦糸４に対して、下縦糸４の下、上、下、上、下となるように結合されている。図１ｂは、これに対応して、結合糸６の結合を示している。結合糸６は、ペーパー側の面で上縦糸３に結合されて、層の織りの一部を形成している。その後、結合糸６は、マシン側の層へと下って、下縦糸４に結合されて、層の織りの一部を形成すると共に、ペーパー側とマシン側の層を互いに結合させている。結合糸６は、下縦糸４に対して、下縦糸の下、上、下となるように結合されている。図１ａ、図１ｂの結合糸５，６は、ペーパー側に、連続的な横糸通路と、１対の結合糸とを形成している。横糸の糸の織りは、平易な織りである。この織目の繰り返しでは、１対の結合糸が、選択された数の段（steps）に従って繰り返されている。
【００１７】
図２ａおよび図２ｂは、上縦糸システムと下縦糸システムとを有する本発明の第２の実施形態のペーパーマシンファブリックを示している。更に、この構造体は、上縦糸システムと下縦糸システムとを互いに結合させる結合糸システムを有している。この構造体はまた、上縦糸システムを有している。
【００１８】
図２ａおよび図２ｂでは、ペーパー側を形成する層は、参照符号１で示され、マシン側を形成する層は、参照符号２で示されている。図２ａおよび図２ｂでは、上縦糸は、参照符号３で示されている。下縦糸は、参照符号４で示されている。ペーパー側を形成する層１とマシン側を形成する層２とは、結合糸システムによって互いに結合されている。結合糸は、参照符号７で示されている。この構造体はまた、上横糸システムを有している。上横糸は、参照符号８で示されている。この構造体の織目の繰り返しが、交互に、結合糸７と上横糸８とを有している。かくして、ペーパー側は、上横糸８が、結合糸７によってペーパー側に形成された糸通路を、結合糸７がマシン側に結合されるポイントから補充する形で配置されるように、形成されている。
【００１９】
図２ａは、結合糸７の結合を示している。図２ｂは、これに対応して、上横糸８の結合を示している。結合糸７は、ペーパー側の面で上縦糸３に結合されて、層の織りの一部を形成している。その後、結合糸７は、マシン側の層へ下り、下縦糸４に結合されて、層の織りの一部を形成すると共に、ペーパー側とマシン側の層を互いに結合させている。結合糸７は、下縦糸４に対して、下縦糸の下、上、下、上、下となるように結合されている。織目の繰り返しでは、結合糸７と上横糸８とが、選択された数の段に従って繰り返されている。
【００２０】
図３ａないし図３ｄは、上縦糸システムと下縦糸システムとを有する本発明の第３の実施形態のペーパーマシンファブリックを示している。更に、この構造体は、上縦糸システムと下縦糸システムとを互いに結合させる結合糸システムを有している。この構造体はまた、上横糸システムを有している。
【００２１】
図３ａないし図３ｄでは、ペーパー側を形成する層は、参照符号１で示され、マシン側を形成する層は、参照符号２で示されている。上縦糸は、図３ａないし図３ｄに参照符号３で示されている。下縦糸は、図３ａないし図３ｄに参照符号４で示されている。ペーパー側を形成する層１とマシン側を形成する層２とは、結合糸システムによって互いに結合されている。図３ａおよび図３ｂでは、結合糸が、参照符号９，１０で示されている。図３ｃおよび３ｄの上横糸は、参照符号１１，１２で示されている。この構造体の織目の繰り返しでは、結合糸９，１０が、並んで織られた２つの結合糸がペーパー側に連続的な横糸通路と、同時に一対の結合糸とを形成するように、配置されている。この実施形態では、２つの上横糸１１，１２がまた、これらの対の結合糸の間で織られている。
【００２２】
図３ａは、結合糸９の結合を示している。結合糸９は、ペーパー側の面で上縦糸３に結合されて、層の織りの一部を形成している。この後で、結合糸９は、マシン側の層へ下り、下縦糸４に結合されて、層の織りの一部を形成すると共に、ペーパー側とマシン側の層を互いに結合させている。結合糸９は、下縦糸４に対して、下縦糸４の下、上、下、上、下となるように結合されている。
【００２３】
これに対応して、図３ｂは、結合糸１０の結合を示している。結合糸１０は、ペーパー側の面で上縦糸３に結合されて、層の織りの一部を形成している。この後で、結合糸１０は、マシン側の層へ下り、下縦糸４に結合されて、層の織りの一部を形成すると共に、ペーパー側とマシン側の層を互いに結合させている。結合糸１０は、下縦糸４に対して、下縦糸の下、上、下となるように結合されている。図３ａおよび図３ｂの結合糸９，１０は、ペーパー側に連続的な横糸通路を形成している。平易な織りが、横糸通路の織りとなる。
【００２４】
図３ｃは、上横糸１１の結合を示し、図３ｄは、上横糸１２の結合を示している。上横糸１１，１２は、これら上横糸が１対の結合糸によってペーパー側の面に形成された織りを連続させるように、平易な織りを形成するように結合されている。織目の繰り返しでは、１対の結合糸が、選択した数の段に従って繰り返されている。
【００２５】
図１ないし図３の構造体の１つの特徴は、単一結合糸、複数の結合糸、あるいは１対の結合糸が、結合糸がペーパー側とマシン側の層を互いに結合させるポイントで、１つ以上の下縦糸に結合されている点である。
本発明のペーパーマシンファブリックはまた、これの構造体が幾つかの結合糸と、更に、０、１以上の上横糸および代わりの横糸とを有する形で、実施され得る。代わりの横糸には、これの両側で織られた結合糸が設けられており、上述された結合糸がマシン側に織り合わされるポイントで上述された結合糸によって形成された２つの糸通路を補充するように配置されている。代わりの横糸はまた、結合糸がペーパー側の面で上縦糸に結合された時に層１と層２との間を移動可能なように配置されている。
【００２６】
図１ないし図３の構造体は、本発明のペーパーマシンファブリックの例である。上縦糸対下縦糸の１つの好ましい比率は、１：１である。これらの構造体では、上縦糸が、下縦糸よりも薄く、これらはアラインメントされている。図４ａないし図４ｄは、マシン側の結合糸の代わりの異なる結合手段と、異なる縦糸の比率と、異なる縦糸の厚さとの例を示している。図４ａないし図４ｄでは、上縦糸が、参照符号３で示されている。下縦糸は、図４ａないし図４ｄに参照符号４で示されている。結合糸は、参照符号１３で示されている。図４ａでは、結合糸１３は、下縦糸４に対して、下縦糸の下、上、下となるように結合されている。図４ａでは、上縦糸対下縦糸の比率が、１：１であり、上縦糸は、下縦糸よりも太い。図４ｂでは、結合糸１３は、下縦糸４に対して、下縦糸の下、上、下、上、下となるように結合されている。図４ｂでは、上縦糸対下縦糸の比率は、１：２であり、上縦糸は、下縦糸よりも太い。図４ｃでは、結合糸１３は、下縦糸４に対して、下縦糸の下になるように結合されている。図４ｃでは、上縦糸対下縦糸の比率は、２：１であり、上縦糸は、下縦糸よりも薄い。図４ｄでは、結合糸１３は、１つの下縦糸の下に来て、３つの下縦糸の上に延びて、また１つの下縦糸の下に来るような形で、下縦糸に結合されている。図４ｄでは、上縦糸対下縦糸の比率は、１：１であり、上縦糸は、下縦糸よりも細く、縦糸は、互いに対してねじれた位置にある。
【００２７】
次の表は、図３ａないし図３ｄの好ましい構造体と、２重層構成ファブリックと、ＳＳＢ構造体との比較を示している。表のペーパーマシンファブリックは、ペーパーマシン内の同じ位置で延びるのに適している。
【００２８】
【表１】
2007520639.tif 000003
この表は、本発明の構造体が他の構造体に比べて著しく薄く、また、小さな空隙容量を有していることを示している。このような構造体は、水を含んでいることができないので、ペーパーウェブが再度濡れることが減じられる。このような構造体は、ペーパーマシン内の上部の形成ファブリックとして働くときは、戻りサイクルに移るとき、ペーパーウェブに水しぶきを飛ばすことがない。殆どのペーパーマシンは、ペーパーウェブが加圧部へ移動する前の最後の水分除去部材として高い真空ボックスを有している。乾燥比率への高い真空ボックスの効果は大きい。ペーパーマシンファブリックが薄くなるにつれて、吸引ボックスの働きがより効果的になる。ペーパーウェブの端部のトリミングは、構造が薄いとより成功しやすい。これは、端部のトリミングの押出し（squirt）が繊維を容易に押すためであり、かくして、損傷が減じられる。端部装飾はまた、十分な乾燥比率によって容易にされる。
【００２９】
ＭＤ曲げ剛性は、ペーパーマシンファブリックのマシン方向の剛性を示している。本発明の構造体は、ＳＳＢ構造体よりも低い曲げ剛性を有している。この比較的可撓性のある構造体により、本発明のペーパーマシンファブリックが、水分除去部材によりよく従い、かくして、乾燥比率と構成とが改良される。
【００３０】
ペーパーマシンファブリックの堅さが、斜め方向の復元力によって決定される。変位率が低くなるにつれて、形成するファブリックが堅くなる。本発明の構造体の斜め方向の復元力は、比較される構造体中でもっとも低く、すなわち、もっとも堅い。このため、本発明の構造体は、均等な紙の外形を実現するのに貢献する。更に、堅いペーパーマシンファブリックは、ペーパーマシン内をまっすぐに移動する。その際、案内上の問題が発生することはない。
【００３１】
以前は、最も良い繊維サポートと機械的な保持能力とが、ＳＳＢ構造体によって果されていた。ＳＰ番手、即ち、サポートポイント番号の繊維（the support point number of fibres）は、ペーパーマシンファブリックがペーパーウェブに与えるサポートの能力を示している。本発明の構造体は、ＳＳＢ構造体よりも２７％大きいＳＰ番手を有し、即ち、本発明の構造体は、優れた繊維サポートおよび機械的な保持能力を与えるので、化学薬品の使用をセーブすることができる。
【００３２】
比較的新しい間隙形成解決法は、いわゆる積載可能なブレードを有している。これの仕事は、ペーパーウェブ内に乱流を生じて、構成を向上させることである。積載可能なブレードの構成の改良効果を最適なものにするために、積載可能なブレード領域には、供給可能なだけの十分な量の水分が供給されなくてはならない。この水分の供給は、典型的な間隙形成器（gap former）である、最初の水分の徹底的な集中的な除去を制限する緻密な面を備えたこの構造体によって行われ得る。
【００３３】
上述した実施形態は、如何なる意味でも、本発明を制限するように意図されておらず、本発明は、請求項の範囲内で完全に自由に修正可能である。かくして、言うまでもなく、本発明のペーパーマシンファブリックもその細部も、図面の通りである必要がなく、他の解決法がまた実行できる。
【００３４】
別個の層は、非常に自由に形成可能であり、即ち、糸システムの数が変わってよい。必ず必要なのは、少なくとも２つの縦糸システム、即ち、上および下の縦糸システムがある点である。
上述した実施形態では、結合横糸と、構造体によっては上横糸とが、ペーパー側の面に例えば平易な織りを形成している。また、その代わりに、例えばサテン織りあるいは綾織のような他の織りを採用してもよい。上横糸の結合は、結合糸の結合と類似していても、異なっていても、どちらでもよい。結合糸の織りはまた、本発明の基本概念の範囲内で自由に変えることができる。
【００３５】
全ての上述した解決法は、円形の直径を有する糸を使用している。これら糸、あるいはこれら糸の一部がまた、例えば、いわゆるプロファイル糸（profile yarns）であってよく、これの断面は、円形でなく、例えば、平面形や楕円形、あるいは他の形であってもよい。これらの糸はまた、中空であってもよく、その場合はファブリックが平らにされ得る。これにより、構造体を従来よりも更に薄くすることができる。使用される糸の材料は、典型的には、ポリエステルかポリアミドであるが、また、ＰＥＮ（ポリエチレンナプタレート（napthalate））、ＰＰＳ（ポリフェニレン・サルファイド樹脂）、あるいは異なる二重成分の糸を使用してもよい。しかしながら、本発明は、如何なる意味でも、上述した例に制限されることはなく、異なる糸に応用されてもよい。ファブリックの特性は、糸の特性の選択によって変えられるので、例えば、従来よりも薄い構造や、平らなペーパー側の面などを実現することができる。
【図面の簡単な説明】
【００３６】
【図１ａ】本発明のペーパーマシンファブリックの断面図である。
【図１ｂ】本発明のペーパーマシンファブリックの断面図である。
【図２ａ】本発明の第２のペーパーマシンファブリックの断面図である。
【図２ｂ】本発明の第２のペーパーマシンファブリックの断面図である。
【図３ａ】本発明の第３のペーパーマシンファブリックの断面図である。
【図３ｂ】本発明の第３のペーパーマシンファブリックの断面図である。
【図３ｃ】本発明の第３のペーパーマシンファブリックの断面図である。
【図３ｄ】本発明の第３のペーパーマシンファブリックの断面図である。
【図４ａ】マシン側の結合糸に代わる異なる結合手段を示している。
【図４ｂ】マシン側の結合糸に代わる異なる結合手段を示している。
【図４ｃ】マシン側の結合糸に代わる異なる結合手段を示している。
【図４ｄ】マシン側の結合糸に代わる異なる結合手段を示している。
【図１ａ】
2007520639.tif 000004
【図１ｂ】
2007520639.tif 000005
【図２ａ】
2007520639.tif 000006
【図２ｂ】
2007520639.tif 000007
【図３ａ】
2007520639.tif 000008
【図３ｂ】
2007520639.tif 000009
【図３ｃ】
2007520639.tif 000010
【図３ｄ】
2007520639.tif 000011
【図４ａ】
2007520639.tif 000012
【図４ｂ】
2007520639.tif 000013
【図４ｃ】
2007520639.tif 000014
【図４ｄ】
2007520639.tif 000015
【手続補正書】
【提出日】平成17年1月24日(2005.1.24)
【手続補正１】
【補正対象書類名】明細書
【補正対象項目名】０００５
【補正方法】変更
【補正の内容】
【０００５】
本発明の１つの目的は、従来技術の欠点をなくすペーパーマシンファブリックを提供することである。これは、本発明のペーパーマシンファブリックによって果されている。ペーパーマシンファブリックは、少なくとも２つのマシン方向の糸システムを有している。これら糸システムは、単一結合糸、複数の結合糸、あるいは１対の結合糸によって互いに結合されている。本発明は、マシン側の層が、マシン側の縦糸システムの下縦糸と結合糸システムの結合糸とのみによって形成されており、結合糸システムの単一結合糸、複数の結合糸、あるいは１対の結合糸が、結合糸がペーパー側およびマシン側の層を互いに結合させるポイントから、少なくとも２つの隣接していない下縦糸の下で、２つ以上の隣接した縦糸の下に延びることなく延びていることを特徴とする。
【手続補正２】
【補正対象書類名】明細書
【補正対象項目名】００２６
【補正方法】変更
【補正の内容】
【００２６】
図１ないし図３の構造体は、本発明のペーパーマシンファブリックの例である。上縦糸対下縦糸の１つの好ましい比率は、１：１である。これらの構造体では、上縦糸が、下縦糸よりも薄く、これらはアラインメントされている。図４ａないし図４ｄは、マシン側の結合糸の代わりの異なる結合手段と、異なる縦糸の比率と、異なる縦糸の厚さとの例を示している。図４ａないし図４ｄでは、上縦糸が、参照符号３で示されている。下縦糸は、図４ａないし図４ｄに参照符号４で示されている。結合糸は、参照符号１３で示されている。図４ａでは、結合糸１３は、下縦糸４に対して、下縦糸の下、上、下となるように結合されている。図４ａでは、上縦糸対下縦糸の比率が、１：１であり、上縦糸は、下縦糸よりも太い。図４ｂでは、結合糸１３は、下縦糸４に対して、下縦糸の下、上、下、上、下となるように結合されている。図４ｂでは、上縦糸対下縦糸の比率は、１：２であり、上縦糸は、下縦糸よりも太い。図４ｃでは、結合糸１３は、下縦糸４に対して、１つの下縦糸の下に来て、３つの下縦糸の上に来て、１つの下縦糸の下に来るように、結合されている。図４ｃでは、上縦糸対下縦糸の比率は、１：１であり、上縦糸は、下縦糸よりも薄く、これら縦糸は、互いに対してねじれた位置にある。
【手続補正３】
【補正対象書類名】明細書
【補正対象項目名】図面の簡単な説明
【補正方法】変更
【補正の内容】
【図面の簡単な説明】
【００３６】
【図１ａ】  本発明のペーパーマシンファブリックの断面図である。  
【図１ｂ】  本発明のペーパーマシンファブリックの断面図である。  
【図２ａ】  本発明の第２のペーパーマシンファブリックの断面図である。  
【図２ｂ】  本発明の第２のペーパーマシンファブリックの断面図である。  
【図３ａ】  本発明の第３のペーパーマシンファブリックの断面図である。  
【図３ｂ】  本発明の第３のペーパーマシンファブリックの断面図である。  
【図３ｃ】  本発明の第３のペーパーマシンファブリックの断面図である。  
【図３ｄ】  本発明の第３のペーパーマシンファブリックの断面図である。  
【図４ａ】  マシン側の結合糸に代わる異なる結合手段を示している。  
【図４ｂ】  マシン側の結合糸に代わる異なる結合手段を示している。  
【図４ｃ】  マシン側の結合糸に代わる異なる結合手段を示している。  
【手続補正４】
【補正対象書類名】図面
【補正対象項目名】図４ｃ
【補正方法】変更
【補正の内容】
【図４ｃ】
2007520639.tif 000016
【手続補正５】
【補正対象書類名】図面
【補正対象項目名】図４ｄ
【補正方法】削除
【補正の内容】
【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
２つのマシン方向の糸システム、即ち、ペーパーマシンファブリックのペーパー側の層（１）とマシン側の層（２）とを形成するように配置された、複数の上縦糸（３）から形成された糸システムと、複数の下縦糸（４）から形成された糸システムとを具備し、これらのマシン方向の糸システムは、結合糸から形成された結合糸システムによって互いに結合され、これら結合糸は、ペーパー側の層を形成するのに参加している、ペーパーマシンファブリックにおいて、前記マシン側の層（２）は、マシン側の縦糸システムの下縦糸（４）と、結合糸システムの結合糸（５，６；７；９，１０；１３）とのみから形成されており、また、結合糸システムの単一の結合糸（７，１３）、複数の結合糸（５，６）、あるいは、１対の結合糸（９，１０）は、これらの結合糸（５，６；７；９，１０；１３）がペーパー側とマシン側の層（１，２）を互いに結合させたポイントから、少なくとも２つの隣接していない下縦糸（４）の下で、２つ以上の隣接した下縦糸（４）の下に延びることなく、マシン側に延びていることを特徴とするペーパーマシンファブリック。
【請求項２】
少なくとも１つの上横糸（８）が、隣接する結合糸（７）の間で織られていることを特徴とする請求項１のペーパーマシンファブリック。
【請求項３】
少なくとも１つの上横糸（８）が、隣接する結合糸（７）の間で織られ、これによって、上横糸（８）は、結合糸がマシン側に結合されたポイントから、結合糸（７）によってペーパー側に形成された糸通路を補充するように配置されていることを特徴とする請求項１のペーパーマシンファブリック。
【請求項４】
前記複数の結合糸（５，６）は、並んで織られた２つの結合糸（５，６）がペーパー側に連続的な横糸通路を形成するように配置されていることを特徴とする請求項１のペーパーマシンファブリック。
【請求項５】
前記１対の結合糸は、ペーパー側に連続的な横糸通路を形成するように並んで織られた２つの結合糸（９，１０）であり、１つ以上の上横糸（１１，１２）が、隣接して対をなす結合糸の間で織られていることを特徴とする請求項１のペーパーマシンファブリック。
【請求項６】
前記構造体は、０、１以上の上横糸と代わりの横糸とを有し、かくして、結合糸が、この代わりの横糸の両側で織られ、この代わりの横糸は、結合糸がマシン側に織り合わされるポイントから、結合糸によって形成された２つの横糸通路を補充するように配置されていることを特徴とする請求項１のペーパーマシンファブリック。
【請求項７】
前記マシン側を形成する層（２）のマシン方向の糸（４）の数が、ペーパー側を形成する層（１）のマシン方向の糸（３）の数よりも多いか少ないことを特徴とする前記全ての請求項のいずれか１のペーパーマシンファブリック。
【請求項８】
前記マシン側を形成する層（２）のマシン方向の糸（４）の数は、ペーパー側を形成する層（１）のマシン方向の糸（３）の数と同じであることを特徴とする請求項１ないし７のいずれか１のペーパーマシンファブリック。
【請求項９】
前記マシン側を形成する層（２）のマシン方向の糸（４）の直径は、ペーパー側を形成する層（１）のマシン方向の糸（３）の直径よりも大きいか小さいことを特徴とする請求項１ないし８のいずれか１のペーパーマシンファブリック。
【請求項１０】
前記マシン側を形成する層（２）のマシン方向の糸（４）の直径は、ペーパー側を形成する層（１）のマシン方向の糸（３）の直径と等しいことを特徴とする請求項１ないし８のいずれか１のペーパーマシンファブリック。
【請求項１１】
前記ペーパーマシンファブリックの糸の１つ、幾つか、あるいは全ての断面が、円形ではないことを特徴とする請求項１ないし１０のいずれか１のペーパーマシンファブリック。
【請求項１２】
前記ペーパーマシンファブリックの糸の１つ、幾つか、あるいは全てが、中空であることを特徴とする請求項１ないし１１のいずれか１のペーパーマシンファブリック。
【国際調査報告】
2007520639.tif 000017
2007520639.tif 000018
2007520639.tif 000019